(57)【要約】  【課題】  ＰＣへ転送できなかったことによりメモリに記憶された未転送のデータの数を、ファクシミリのモード時において、ディスプレイに表示される多機能周辺装置を提供すること。  【解決手段】  受信ＦＡＸデータが、ＰＣへ転送されるように設定されると、ＰＣへの転送が行われずに受信データ記憶手段に記憶されている未転送データの数が、モードがファクシミリモードである場合に表示手段に表示される。多機能周辺装置がファクシミリモードである場合に、ディスプレイに表示される待機表示は、一般的に現在時刻と日付であり、そのようなファクシミリモードの場合に未転送データの数を表示することは、合理的であると共に、その他のモードにおいて表示される情報を見難くすることがないので、多機能周辺装置全体の操作を向上できる。  【選択図】    図１
2006041910.tif 000002
【特許請求の範囲】
【請求項１】
ファクシミリ装置としての機能と、そのファクシミリ装置とは異なる非ファクシミリ装置としての機能とを有すると共に、データ通信可能な端末装置に接続可能な多機能周辺装置において、
前記ファクシミリ装置として機能するファクシミリモードと、前記非ファクシミリ装置として機能する非ファクシミリモードとのいずれかを設定するモード設定手段と、
そのモード設定手段により設定されたモードに応じた表示を行う表示手段と、
相手側装置から送信されたデータを受信する受信手段と、
その受信手段により受信されたデータを記憶する受信データ記憶手段と、
前記受信手段により受信されたデータを前記データ通信可能な端末装置へ転送するかを設定するデータ転送設定手段と、
前記受信手段により受信されたデータを前記データ通信可能な端末装置へ転送することが前記データ転送設定手段によって設定された場合に、前記受信手段により受信されたデータを前記データ通信可能な端末装置に転送するデータ転送手段と、
前記受信データ記憶手段に記憶されるデータのうち、前記データ転送手段により前記データ通信可能な端末装置へ転送されていない未転送データの数を計数する未転送データ計数手段と、
前記モード設定手段による設定が前記ファクシミリモードである場合に、前記未転送データ計数手段により計数された未転送データの数を、前記表示手段に表示する第１未転送データ数表示手段とを備えていることを特徴とする多機能周辺装置。
【請求項２】
前記モード設定手段による設定が前記非ファクシミリモードの場合に、前記受信手段により受信されたデータを、前記データ通信可能な端末装置へ転送するかを設定する非ファクシミリモードデータ転送設定手段と、
前記受信手段により受信されたデータを、前記データ通信可能な端末装置へ転送することが、前記非ファクシミリモードデータ転送手段によって設定された場合に、前記未転送データ計数手段により計数された未転送データの数を前記表示手段に表示する第２未転送データ数表示手段とを備えていることを特徴とする請求項１記載の多機能周辺装置。
【請求項３】
前記データ転送手段による前記データ通信可能な端末装置への前記データの転送が可能であるかを検出する転送可能状態検出手段を備え、
前記第１未転送データ数表示手段及び前記第２未転送データ数表示手段は、少なくとも、前記転送可能状態検出手段により前記データの転送が不可能であると検出される間、前記未転送データ計数手段により計数された未転送データの数を、前記表示手段に表示するものであることを特徴とする請求項１又は２記載の多機能周辺装置。
【請求項４】
前記データ転送手段による前記データ通信可能な端末装置への前記データの転送が可能であるかを検出する転送可能状態検出手段を備え、
前記データ転送手段は、前記転送可能状態検出手段により前記データの転送が可能であると検出された場合に、前記データ記憶手段に記憶されていた前記未転送データを、その未転送データの１単位を１単位のファイルとして、その１単位のファイルずつ、前記データ通信可能な端末装置へ転送を行うものであることとを特徴とする請求項１から３のいずれかに記載の多機能周辺装置。
【請求項５】
前記受信手段により受信されたデータが、前記データ転送手段により前記データ通信可能な端末装置に転送された場合に、その転送が正常に行われたかを確認する転送正常確認手段と、
その転送正常確認手段により前記転送が正常に行われたと確認された場合に、前記転送されたデータに対応するデータを前記受信データ記憶手段から消去するデータ消去手段とを備えていることを特徴とする請求項１から４のいずれかに記載の多機能周辺装置。
【請求項６】
前記データ受信手段により受信されたデータを前記データ通信可能な端末装置へ転送すると前記データ転送設定手段によって設定された場合に、前記受信手段により受信されたデータに基づく画像を記録媒体に記録するバックアップ記録手段を備えていることを特徴とする請求項１から５のいずれかに記載の多機能周辺装置。
【請求項７】
前記データ受信手段により受信されたデータを前記データ通信可能な端末装置へ転送すると前記データ転送設定手段によって設定された場合に、前記受信手段により受信されたデータに基づく画像を前記バックアップ記録手段によって前記記録媒体に記録するかを設定するバックアップ記録設定手段を備えていることを特徴とする請求項６記載の多機能周辺装置。
【請求項８】
前記受信手段により受信されたデータが、前記データ転送手段により前記データ通信可能な端末装置に転送された場合に、その転送が正常に行われたかを確認する転送正常確認手段と、
前記受信手段により受信されたデータに基づく画像が前記バックアップ記録手段によって前記記録媒体に記録された場合に、その画像に対応するデータが前記データ通信可能な端末装置へ正常に転送されたと前記転送正常確認手段により確認されるまでは、少なくとも、前記受信データ記憶手段における該データの記憶を保持する記憶保持手段とを備えていることを特徴とする請求項６又は７記載の多機能周辺装置。
【発明の詳細な説明】
【技術分野】
【０００１】
本発明は、多機能周辺装置に関し、特に、ファクシミリのモードにおいて、パーソナルコンピュータへ転送されなかったファクシミリデータの数がディスプレイに表示される多機能周辺装置に関する。
【背景技術】
【０００２】
ファクシミリ装置とパーソナルコンピュータ（以下、「ＰＣ」と称する）とを接続し、ファクシミリ装置が相手側装置から受信したファクシミリデータをＰＣに転送するＰＣファクシミリ機能が知られている。しかし、ファクシミリ装置からＰＣへのデータ転送のタイミングにおいて、ＰＣに電源が入っていなかったり、ＰＣとファクシミリ装置との通信を行うための専用アプリケーションが起動していない場合には、このＰＣファクシミリ機能は機能せず、その結果として、ＰＣへデータ転送できなかったファクシミリ装置からは、データ受信することが出来なかった旨を通知するエラーレポートが出力される。
【０００３】
特開２００２−１３５５０２号公報（特許文献１）には、ファクシミリ装置が受信した画情報を記憶手段に蓄積し、該ファクシミリ装置に備えた転送開始手段の転送開始指示や、ＰＣによるＴＷＡＩＮ（Technology Without Any Interested Name）起動や、予め決められた時刻を契機として、前記蓄積した画情報のパソコンへの転送を開始する、パソコンとファクシミリ装置との接続方式が記載されている。また、特許文献１には、蓄積した画情報が存在する場合に、該画情報の存在を点灯表示することが記載されている。
【特許文献１】特開２００２−１３５５０２号公報
【発明の開示】
【発明が解決しようとする課題】
【０００４】
しかしながら、画像が記憶手段にデータが蓄積されていることを点灯表示した場合には、ユーザが蓄積件数を知ることができない。そのため、ユーザにとっては使い勝手が悪く、例えば、ユーザの事情によって、ＰＣへのデータ転送を先送りしていた場合に、記憶手段に割り当てられたメモリ容量をオーバーし、受信したファックスデータを記憶できなくなるという問題点があった。また、ファックス装置としての機能以外の機能を合わせて搭載する多機能周辺装置の場合、装置のモードによっては、そのモードに対して表示すべき情報に加えて、未転送データの存在が表示されると、全体の表示が煩雑になってしまうという問題点があった。
【０００５】
本発明は、上述した問題点を解決するためになされたものであり、ＰＣへ転送できなかったことによりメモリに記憶された未転送のデータの数が、ファクシミリのモード時において、ディスプレイに表示される多機能周辺装置を提供することを目的としている。
【課題を解決するための手段】
【０００６】
この目的を達成するために、請求項１記載の多機能周辺装置は、ファクシミリ装置としての機能と、そのファクシミリ装置とは異なる非ファクシミリ装置としての機能とを有すると共に、データ通信可能な端末装置に接続可能なものであって、前記ファクシミリ装置として機能するファクシミリモードと、前記非ファクシミリ装置として機能する非ファクシミリモードとのいずれかを設定するモード設定手段と、そのモード設定手段により設定されたモードに応じた表示を行う表示手段と、相手側装置から送信されたデータを受信する受信手段と、その受信手段により受信されたデータを記憶する受信データ記憶手段と、前記受信手段により受信されたデータを前記データ通信可能な端末装置へ転送するかを設定するデータ転送設定手段と、前記受信手段により受信されたデータを前記データ通信可能な端末装置へ転送することが前記データ転送設定手段によって設定された場合に、前記受信手段により受信されたデータを前記データ通信可能な端末装置に転送するデータ転送手段と、前記受信データ記憶手段に記憶されるデータのうち、前記データ転送手段により前記データ通信可能な端末装置へ転送されていない未転送データの数を計数する未転送データ計数手段と、前記モード設定手段による設定が前記ファクシミリモードである場合に、前記未転送データ計数手段により計数された未転送データの数を、前記表示手段に表示する第１未転送データ数表示手段とを備えている。
【０００７】
請求項２記載の多機能周辺装置は、請求項１記載の多機能周辺装置において、前記モード設定手段による設定が前記非ファクシミリモードの場合に、前記受信手段により受信されたデータを、前記データ通信可能な端末装置へ転送するかを設定する非ファクシミリモードデータ転送設定手段と、前記受信手段により受信されたデータを、前記データ通信可能な端末装置へ転送することが、前記非ファクシミリモードデータ転送手段によって設定された場合に、前記未転送データ計数手段により計数された未転送データの数を前記表示手段に表示する第２未転送データ数表示手段とを備えている。
【０００８】
請求項３記載の多機能周辺装置は、請求項１又は２記載の多機能周辺装置において、前記データ転送手段による前記データ通信可能な端末装置への前記データの転送が可能であるかを検出する転送可能状態検出手段を備え、前記第１未転送データ数表示手段及び前記第２未転送データ数表示手段は、少なくとも、前記転送可能状態検出手段により前記データの転送が不可能であると検出される間、前記未転送データ計数手段により計数された未転送データの数を、前記表示手段に表示するものである。
【０００９】
請求項４記載の多機能周辺装置は、請求項１から３のいずれかに記載の多機能周辺装置において、前記データ転送手段による前記データ通信可能な端末装置への前記データの転送が可能であるかを検出する転送可能状態検出手段を備え、前記データ転送手段は、前記転送可能状態検出手段により前記データの転送が可能であると検出された場合に、前記データ記憶手段に記憶されていた前記未転送データを、その未転送データの１単位を１単位のファイルとして、その１単位のファイルずつ、前記データ通信可能な端末装置へ転送を行うものである。
【００１０】
請求項５記載の多機能周辺装置は、請求項１から４のいずれかに記載の多機能周辺装置において、前記受信手段により受信されたデータが、前記データ転送手段により前記データ通信可能な端末装置に転送された場合に、その転送が正常に行われたかを確認する転送正常確認手段と、その転送正常確認手段により前記転送が正常に行われたと確認された場合に、前記転送されたデータに対応するデータを前記受信データ記憶手段から消去するデータ消去手段とを備えている。
【００１１】
請求項６記載の多機能周辺装置は、請求項１から５のいずれかに記載の多機能周辺装置において、前記データ受信手段により受信されたデータを前記データ通信可能な端末装置へ転送すると前記データ転送設定手段によって設定された場合に、前記受信手段により受信されたデータに基づく画像を記録媒体に記録するバックアップ記録手段を備えている。
【００１２】
請求項７記載の多機能周辺装置は、請求項６記載の多機能周辺装置において、前記データ受信手段により受信されたデータを前記データ通信可能な端末装置へ転送すると前記データ転送設定手段によって設定された場合に、前記受信手段により受信されたデータに基づく画像を前記バックアップ記録手段によって前記記録媒体に記録するかを設定するバックアップ記録設定手段を備えている。
【００１３】
請求項８記載の多機能周辺装置は、請求項６又は７記載の多機能周辺装置において、前記受信手段により受信されたデータが、前記データ転送手段により前記データ通信可能な端末装置に転送された場合に、その転送が正常に行われたかを確認する転送正常確認手段と、前記受信手段により受信されたデータに基づく画像が前記バックアップ記録手段によって前記記録媒体に記録された場合に、その画像に対応するデータが前記データ通信可能な端末装置へ正常に転送されたと前記転送正常確認手段により確認されるまでは、少なくとも、前記受信データ記憶手段における該データの記憶を保持する記憶保持手段とを備えている。
【発明の効果】
【００１４】
請求項１記載の多機能周辺装置によれば、モード設定手段により、ファクシミリ装置として機能するファクシミリモード、又は、該ファクシミリ装置とは異なる非ファクシミリ装置として機能する非ファクシミリモードのいずれかが設定されると、設定されたモードに応じた表示が表示手段により行われる。また、相手側装置から受信手段により受信されたデータを、この多機能周辺装置に接続されたデータ通信可能な端末装置へ転送するかは、データ転送設定手段により設定される。
【００１５】
相手側装置から受信手段により受信されたデータは、受信データ記憶手段に記憶されると共に、データ転送設定手段によって、受信したデータがデータ通信可能な端末装置へ転送されるように設定されると、該受信手段により受信されたデータが、転送手段により、データ通信可能な端末装置に転送される。
【００１６】
ここで、該受信データ記憶手段に記憶されるデータのうち、データ転送手段によって、データ通信可能な端末装置へ転送されていない未転送データの数が、未転送データ計数手段により計数される。そして、未転送データ計数手段により計数された未転送データの数が、モード設定手段によってファクシミリモードに設定されている場合に、第１未転送データ数表示手段により、表示手段に表示される。
【００１７】
よって、受信手段により受信されたデータが、データ通信可能な通信端末へ転送されるように設定されると、データ通信可能な通信端末への転送が行われずに受信データ記憶手段に記憶されている未転送データの数は、モードがファクシミリモードである場合に表示手段に表示される。未転送データの数が表示されるので、ユーザは、未転送データの存在を認識できると共に、その未転送データの数に応じた対処（例えば、データ通信可能な端末装置（例えば、パーソナルコンピュータ）に直ちに転送させるか、ある程度の数になるまで放置しておくか）をすることができるという効果がある。また、多機能周辺装置がファクシミリモードである場合に、ディスプレイに表示される待機表示は、一般的に、現在時刻と日付であり、例えば、コピーモードのように、コピー設定（コピー枚数や拡大・縮小率等）が待機表示に表示される場合に比べ、表示すべき情報としての重要性は低い。従って、ファクシミリモードの場合に未転送データの数を表示することは、合理的であると共に、その他のモードにおいて表示される情報を見難くすることがないので、多機能周辺装置全体の操作を向上できるという効果がある。
【００１８】
請求項２記載の多機能周辺装置は、請求項１記載の多機能周辺装置の奏する効果に加えて、非ファクシミリモードの場合において、受信手段により受信されたデータをデータ通信可能な端末装置に転送することが、非ファクシミリモードデータ転送設定手段により設定されると、未転送データ計数手段により計数された未転送データの数が、第２未転送データ数表示手段により表示手段に表示される。
【００１９】
よって、非ファクシミリモードデータ転送設定手段による設定に応じて、非ファクシミリモードの場合であっても、未転送データの数を表示手段に表示することができるという効果がある。従って、ユーザの必要に応じて、ファクシミリモード以外のモードにおいても未転送データの数を表示させることができる。
【００２０】
請求項３記載の多機能周辺装置は、請求項１又は２記載の多機能周辺装置の奏する効果に加えて、データ通信可能な通信端末への受信手段により受信されたデータの転送が、転送可能状態検出手段により転送不可能であると検出される間は少なくとも、未転送データ計数手段により計数された未転送データの数が、第１未転送データ数表示手段及び第２未転送データ数表示手段により、表示手段に表示される。よって、データ通信可能な通信端末へのデータの転送ができない間は少なくとも、未転送データの数を表示手段に表示することができる。よって、データ通信可能な通信端末（例えば、パーソナルコンピュータ）へ受信データが転送できない状態（例えば、パーソナルコンピュータに電源が入っていない状態）にある間は、少なくとも、表示手段に未転送データの数が表示されるという効果がある。よって、ユーザは、その表示によって未転送データの存在を認識できる。結果として、未転送データの存在を知ったユーザにより、受信データを送信すべく接続されたデータ通信可能な通信端末（例えば、パーソナルコンピュータ）が転送可能な状態にされることによって、それらの未転送データを、確実に、データ通信可能な通信端末へ転送させることができる。
【００２１】
請求項４記載の多機能周辺装置は、請求項１から３のいずれかに記載の多機能周辺装置の奏する効果に加えて、データ通信可能な通信端末への受信手段により受信されたデータの転送が、転送可能状態検出手段により転送可能であると検出された場合に、データ記憶手段に記憶されていた未転送データが、データ転送手段により、該未転送データの１単位を１単位のファイルとして、その１単位のファイルずつ、データ通信可能な端末装置へ転送される。よって、１の受信データを１ファイルとして、データ通信可能な端末装置に転送することができるので、データ通信可能な端末装置への転送後に、各受信データの管理が容易になるという効果がある。また、複数の受信データが未転送データとして受信データ記憶手段に存在する場合に、１の受信データ（１ファイル）の転送途中に電源が落ちたとしても、それ以前に転送が完了したファイルに対応するデータについては少なくとも、データ再転送を不要とすることができるので、データの転送作業を効率化できるという効果がある。その場合、データの転送が完了する毎に、転送されたデータに対応するデータを受信データ記憶手段から消去させることにより、受信データ記憶手段における空きメモリ容量を確保することができるという効果もある。
【００２２】
請求項５記載の多機能周辺装置は、請求項１から４のいずれかに記載の多機能周辺装置の奏する効果に加えて、受信手段により受信されたデータがデータ転送手段により前記データ通信可能な端末装置に正常に行われたことが、転送正常確認手段により確認されると、転送されたデータに対応するデータが、消去手段により受信データ記憶手段から消去される。よって、正常に転送が完了したデータに対応するデータのみが、受信データ記憶手段から消去されるので、通信の不具合等による転送失敗のために、データ通信可能な通信端末に転送できなかったデータを消失させてしまうことを防止できるという効果がある。
【００２３】
請求項６記載の多機能周辺装置は、請求項１から５のいずれかに記載の多機能周辺装置の奏する効果に加えて、データ受信手段により受信されたデータをデータ通信可能な端末装置へ転送することが、データ転送設定手段によって設定された場合であっても、受信手段により受信されたデータに基づく画像が、バックアップ記録手段により、記録媒体に記録される。よって、データの受信と共に、その受信データに対応する画像が記録媒体に印刷されるので、受信データの内容を早急に確認することができるという効果がある。また、データ通信可能な通信端末の電源が入ってない等の原因によって受信データの転送ができなかった場合であっても、その受信データの内容を確認できるので、その内容に応じて、そのデータを、データ通信可能な通信端末に転送させない等の処理をすることも可能となる。
【００２４】
請求項７記載の多機能周辺装置は、請求項６記載の多機能周辺装置の奏する効果に加えて、データ受信手段により受信されたデータをデータ通信可能な端末装置へ転送することが、データ転送設定手段によって設定された場合に、受信手段により受信されたデータに基づく画像を、バックアップ記録手段により記録媒体に記録させるかの設定が、バックアップ記録設定手段によってなされる。よって、バックアップ記録手段による記録媒体への画像の記録を必要に応じて実行又は不実行に設定することができるので、ユーザの使い勝手が向上すると共に、不要な記録によって印刷用紙などの記録媒体を無駄に消費することを防止することができるという効果がある。
【００２５】
請求項８記載の多機能周辺装置は、請求項６又は７記載の多機能周辺装置の奏する効果に加えて、受信手段により受信されたデータに基づく画像がバックアップ記録手段によって記録媒体に記録された場合に、その画像に対応するデータがデータ通信可能な端末装置へ正常に転送されたと転送正常確認手段により確認されるまでは、少なくとも、記憶保持手段により、受信データ記憶手段における該データの記憶が保持される。よって、データ通信可能な通信端末の電源が入っていない等の原因によって受信データが該通信端末に転送できない状態であっても、受信データに基づく画像がバックアップ記録手段により記録媒体に記録されるが、受信データは、受信データ記憶手段に未転送データとして記憶されたまま保持され、該通信端末への転送が可能になった場合に、該データは該通信端末へ通信されることになる。従って、受信データは、該データに基づく画像が記録媒体に記録されるだけでなく、ファイルとして該通信端末に転送されるので、そのファイルを該通信端末において保存させることにより、受信データの有効活用を図ることができるという効果がある。
【発明を実施するための最良の形態】
【００２６】
以下、本発明の好ましい実施例について、添付図面を参照して説明する。図１は、本発明の第１実施例における多機能周辺装置（以下、「ＭＦＤ（Multi Function Device）」と略す）１を含む通信システムの構成を示すブロック図である。この通信システムは、図１に示すように、ファクシミリ機能等を有するＭＦＤ１と、そのＭＦＤ１とデータ通信可能に接続されたパーソナルコンピュータ２（ＰＣ２）とから構成される。また、図１に示すように、この通信システムにおいて、ＭＦＤ１は、電話回線網１００に接続されている。
【００２７】
ＭＦＤ１は、この電話回線網１００を介してファクシミリ通信を実現するファクシミリ機能や、電話回線網１００を介して音声通話を実現する音声通話機能の他に、プリンタ機能、コピー機能、スキャナ機能、及び、外部メディアに記憶されているイメージデータ（写真データなど）を印刷するメディアプリント機能などの各種の機能を１台に備えた多機能周辺装置である。また、このＭＦＤ１は、受信したファックスデータ（以下、「受信ＦＡＸデータ」と称する）をＰＣ２へ転送するＰＣファックス（以下、「ＰＣ−ＦＡＸ」と称する）としての機能を備えている。
【００２８】
図１に示すように、ＭＦＤ１は、ＭＦＤ１全体の動作を制御するＣＰＵ１２と、そのＣＰＵ１２により実行される各種の制御プログラムや固定値データを記憶するＲＯＭ１４と、ＣＰＵ１２により実行される各種処理に必要なデータやプログラム等を一時的に記憶するためのメモリであるＲＡＭ１６と、スキャナ部２２と、プリンタ部２４と、モデム２６と、回線制御部２８と、ＭＦＤ１の本体部から取り外し可能であり、音声通話機能において送話及び受話するために使用される送受話器３２と、ＭＦＤ１で各種機能を実行させるための複数の操作入力キー（ボタンやスイッチなど）から構成される操作部３４と、ＭＦＤ１における各種情報を表示する液晶ディスプレイ（以下、「ＬＣＤ（Liquid Crystal Display）」と称する）であるＬＣＤ３６と、スピーカ及びそのスピーカを駆動する駆動回路から構成されるスピーカ部３８と、外部メディアからデータを読み込むための外部メディアスロット４０と、通信ケーブル４２ａ経由でＰＣ２と接続するためのＰＣインターフェイス部（以下、「ＰＣＩ／Ｆ」と称する）であるＰＣＩ／Ｆ４２と、ケーブル又は無線通信経由でＬＡＮ２００（Local Area Network）に接続するためのＬＡＮインターフェイス部（以下、「ＬＡＮＩ／Ｆ」と称する）であるＬＡＮＩ／Ｆ４４とを備えている。このうち、ＣＰＵ１２と、ＲＯＭ１４と、ＲＡＭ１６と、スキャナ部２２と、プリンタ部２４と、モデム２６と、回線制御部２８と、操作部３４と、ＬＣＤ３６と、スピーカ部３８と、外部メディアスロット４０と、ＰＣＩ／Ｆ４２と、ＬＡＮＩ／Ｆ４４とは、バスライン４６を介して互いに接続されている。なお、回線制御部２８と、モデム２６又は送受話器３２とは、後述する伝送経路によって接続されている。
【００２９】
ここで、スキャナ部２２は、ＣＰＵ１２からの指示に基づいて、所定の読取位置（非図示）にセットされた原稿から画像の読み取りを行うと共に、この画像のイメージデータを生成するためのものであり、原稿搬送用モータ（非図示）を備えている。なお、このスキャナ部２２により読み取られたイメージデータは、ＭＦＤ１が、ＭＦＤ１におけるファクシミリ機能を機能させるファクシミリモード（以下、「ＦＡＸモード」と称する）に設定されている場合には、そのイメージデータが、モデム２６、回線制御部２８及び電話回線網１００を介して、電話番号等により指定された相手側装置へ送信される。また、ＭＦＤ１が、ＭＦＤ１におけるコピー機能を機能させるコピーモード（以下、「ＣＯＰＹモード」と称する）に設定されている場合には、このスキャナ部２２によって生成されたイメージデータは、プリンタ部２４により記録紙に印刷される。さらに、ＭＦＤ１が、ＭＦＤ１におけるスキャナ機能を機能させるスキャナモード（以下、「ＳＣＡＮモード」と称する）に設定されている場合には、このスキャナ部２２によって生成されたイメージデータは、ＲＡＭ１６における所定の記憶領域に格納される。
【００３０】
プリンタ部２４は、ＣＰＵ１２からの指示に基づいて、所定の給紙位置（非図示）にセットされた記録紙への印刷を行うためのインクジェット方式のプリンタで構成され、記録紙を搬送する記録紙搬送用モータ（非図示）と、記録紙へインクを吐出する印字ヘッド（非図示）と、その印字ヘッドを搭載したキャリッジ（非図示）を移動させるキャリッジモータ（非図示）とを備えている。なお、ＭＦＤ１がＦＡＸモードに設定され、且つ、電話回線網１００、回線制御部２８及びモデム２６を介して相手側装置から受信したファクシミリデータを印字するように設定されている場合には、受信したファクシミリデータに基づいて生成されたイメージデータは、このプリンタ部２４によって記録紙に印刷される。また、ＭＦＤ１がＣＯＰＹモードに設定されている場合には、スキャナ部２２によって生成されたイメージデータは、このプリンタ部２４により記録紙に印刷される。さらに、ＭＦＤ１が、ＭＦＤ１におけるメディアプリント機能を機能させるフォトキャプチャモード（以下、「ＰＣＣモード」と称する）に設定されている場合には、外部メディアスロット４０に装着された外部メディア（非図示）に記憶されているイメージデータが、このプリンタ部２４によって記録紙に印刷して出力される。
【００３１】
モデム２６は、ＣＰＵ１２からの指示に基づいて、スキャナ部２２で生成されたイメージデータを変調して、回線制御部２８を介して電話回線網１００に伝送可能な画像信号を生成したり、電話回線１００から回線制御部２８を介して入力された画像信号をイメージデータに復調するものである。
【００３２】
回線制御部２８は、電話回線網１００からの各種信号の入力と、電話回線網１００への信号の出力を行うと共に、ＣＰＵ１２からの指示に基づいて、電話回線網１００との間で入出力する信号の伝送先及び伝送元となる伝送経路を設定する。この「伝送経路」としては、操作部３４により画像を送信する（ファクシミリデータを送信する）ための操作が行われる際、又は、電話回線網１００から画像信号を受信した（ファクシミリデータを受信した）際に、モデム２６へ向かう経路が設定される。そして、この経路を画像信号が伝達可能な状態となる。一方で、この設定された伝送経路は、モデム２６による画像信号の出力が終了した際、又は、電話回線１００からの画像信号の入力が終了した際に解除され、この経路を画像信号が伝送されない状態となる。また、送受話器３２をＭＦＤ１の本体部から取り外す操作（オフフック操作）が行われた際に、回線制御部２８から送受話器３２へ向かう経路が上述した伝送経路として設定され、この経路を音声信号が伝送可能な状態となる。こうして設定された伝送経路は、送受話器３２をＭＦＤ１の本体部に戻す操作（オンフック操作）が行われた際に解除され、この経路を音声信号が伝送されない状態となる。
【００３３】
外部メディアスロット４０は、デジタルカメラなどで撮影されたイメージデータを記憶する外部メディア（例えば、コンパクトフラッシュ（登録商標）、メモリスティック（登録商標）、スマートメディア（登録商標）など）を着脱自在に装着するためのスロットであり、ＭＦＤ１がＰＣＣモードである場合に、この外部メディアスロット４０に装着された外部メディアから直接イメージデータを読み出して、そのイメージデータに従う印刷がプリンタ部２４により行われる。
【００３４】
ＲＡＭ１６は、ＰＣ−ＦＡＸメモリ１６ａと、ＰＣ未転送カウンタ１６ｂとを備えている。ＰＣ−ＦＡＸメモリ１６ａは、受信ＦＡＸをＰＣ２へ転送する設定であるＰＣ−ＦＡＸとして機能するように設定されている場合に、ＰＣ２へ未転送である受信ＦＡＸデータ（以下、「未転送ＦＡＸデータ」と称する）とその未転送ＦＡＸデータの状況とを対応付けて格納するメモリである。
【００３５】
このＰＣ−ＦＡＸメモリ１６ａは、未転送ＦＡＸデータの数ｎに対応する第１ＰＣ−ＦＡＸメモリ１６ａ１から第ｎＰＣ−ＦＡＸメモリ１６ａｎまでのｎ個のメモリから構成されている。ここで、時間的に最も古い未転送ＦＡＸデータとその未転送ＦＡＸデータの状況とが対応づけられて第１ＰＣ−ＦＡＸメモリ１６ａ１に格納されており、第１ＰＣ−ＦＡＸメモリ１６ａ１から第ｎＰＣ−ＦＡＸメモリ１６ａｎに向かう順で、順次、時間的に新しい未転送ＦＡＸデータとその未転送ＦＡＸデータの状況とが対応づけられて格納されている。即ち、第ｎＰＣ−ＦＡＸメモリ１６ａｎに、時間的に最も新しい未転送ＦＡＸデータとその未転送ＦＡＸデータの状況とが対応づけられて格納されている。
【００３６】
第１〜第ｎＰＣ−ＦＡＸメモリ１６ａ１〜１６ａｎまでの各メモリは、それぞれ、第ｘ受信ＦＡＸデータメモリ１６ａｘ１（ｘ＝１〜ｎ）と、第ｘ印刷完了フラグ１６ａｘ２（ｘ＝１〜ｎ）とを備えている。第ｘ受信ＦＡＸデータメモリ１６ａｘ１（ｘ＝１〜ｎ）は、ｘ番目の未転送ＦＡＸデータ（ＰＣ２に転送されていない受信ＦＡＸデータ）を格納するメモリである。
【００３７】
第ｘ印刷完了フラグ１６ａｘ２（ｘ＝１〜ｎ）は、対応する第ｘ受信ＦＡＸデータメモリ１６ａｘ１に格納される未転送ＦＡＸデータに対応する画像が、プリンタ部２４で印刷されたか否かを示すフラグである。具体的には、第ｘ印刷完了フラグ１６ａｘ２（ｘ＝１〜ｎ）は、対応する第ｘ受信ＦＡＸデータメモリ１６ａｘ１に格納される未転送ＦＡＸデータに対応する画像が、プリンタ部２４で印刷されていなければ「０」に設定されており、一方で、プリンタ部２４で印刷されると「１」に設定される。なお、この第ｘ印刷完了フラグ１６ａｘ２（ｘ＝１〜ｎ）は、新たな未転送ＦＡＸデータが、第ｘＰＣ−ＦＡＸメモリ１６ａｘにおける第ｘ受信ＦＡＸデータメモリ１６ａｘ１に格納される場合に、その第ｘ受信ＦＡＸデータメモリ１６ａｘ１に対応付けられる第ｘ印刷完了フラグ１６ａｘ２は、初期値「０」に設定される。
【００３８】
ＰＣ未転送カウンタ１６ｂは、未転送ＦＡＸデータの数を計数するカウンタである。このＰＣ未転送カウンタ１６ｂの値は、ＰＣ−ＦＡＸメモリ１６ａに未転送ＦＡＸデータが格納されていなければ、「０」に設定され、新たな未転送ＦＡＸデータが、第ｘＰＣ−ＦＡＸメモリ１６ａｘにおける第ｘ受信ＦＡＸデータメモリ１６ａｘ１に格納される毎に＋１される。一方で、後述するＰＣ−ＦＡＸデータ転送処理（図６参照）において、１つの未転送ＦＡＸデータがＰＣ２に転送されると、ＰＣ未転送カウンタ１６ｂの値は−１される。
【００３９】
次に、図２を参照して、ＭＦＤ１における操作パネル部分について説明する。図２は、ＭＦＤ１における操作パネル部分の平面図である。図２に示すように、この操作パネル部分は、操作部３４を構成する各種操作入力キー３４ａ〜３４ｇと、ＬＣＤ３６とから構成されている。
【００４０】
操作入力キー３４ａは、電源ボタンであり、ＭＦＤ１が電源遮断の状態で押下すると、ＭＦＤ１に電源が投入され、一方で、ＭＦＤ１に電源が投入されている状態において、操作入力キー３４ａが押下されると、ＭＦＤ１は電源遮断される。
【００４１】
操作入力キー３４ｂは、ＭＦＤ１で実行させる機能又は設定値などを、ＬＣＤ３６に表示される選択肢の中から設定させるための十字キー及びメニューセットキーである。この操作入力キー３４ｂの上下左右の端部を押下することにより、ＬＣＤ３６に表示されるカーソルが上下左右に移動される。そして、カーソルが所望の機能又は設定値に対応する選択肢に配置された場合に、操作入力キー３４ｂの中央部を押下することにより、カーソルが配置されていた機能又は設定値が設定される。なお、ＭＦＤ１を、ＰＣ−ＦＡＸとして機能するように設定する場合には、ＬＣＤ３６に表示された選択肢の中から、ＰＣ−ＦＡＸ設定をオンにするための選択肢を選択し、操作入力キー３４ｂの中央部を押下することによって設定される。また、ＭＦＤ１をＰＣ−ＦＡＸとして機能するように設定した場合に、ＬＣＤ３６に表示された選択肢の中から、ＰＣ２への転送と共にプリンタ部２４での印刷を行う設定（以下、「バックアップ印刷設定」と称する）をオンにするための選択肢を選択して操作入力キー３４ｂの中央部を押下すると、バックアップ印刷設定がオン設定される。
【００４２】
操作入力キー３４ｃは、モード選択キー（以下、「モード選択キー３４ｃ」と称する）であり、ＭＦＤ１においてメディアプリント機能を機能させるＰＣＣモードキー３４ｃ１と、ＭＦＤ１においてコピー機能を機能させるＣＯＰＹモードキー３４ｃ２と、ＭＦＤ１においてファクシミリ機能を機能させるＦＡＸモードキー３４ｃ３と、ＭＦＤ１においてスキャナ機能を機能させるＳＣＡＮモードキー３４ｃ４とを備えている。これらのモード選択キー３４ｃ（３４ｃ１〜３４ｃ４）のいずれかが押下されると、ＭＦＤ１は、押下されたモード選択キー３４ｃ（３４ｃ１〜３４ｃ４）に応じた機能が機能するように設定される。
【００４３】
操作入力キー３４ｄは、テンキーであり、ＭＦＤ１がＦＡＸモードである場合において、ファクシミリデータを送信する相手側装置の電話番号の入力や設定値の入力等に用いられるものである。また、操作入力キー３４ｅは、設定ボタンであり、各種モードにおける特定の機能（例えば、ＦＡＸモードにおけるオンフックダイヤル機能）を実行指示するものである。また、操作入力キー３４ｆは、ストップボタンであり、各種機能を実行している場合に、停止を指示するものであり、操作入力キー３４ｇは、スタートボタンであり、ＦＡＸモードやＣＯＰＹモードにおいて、それらの機能の実行の開始を指示するものである。
【００４４】
ＬＣＤ３６は、ＭＦＤ１における各種情報を表示する液晶ディスプレイ（ＬＣＤ）である。このＬＣＤ３６では、上記したような機能設定時における機能又は設定値等を設定させるための設定表示の他に、例えば、ＭＦＤ１における動作待機時において、現在の設定状況等が待機情報として表示される。
【００４５】
次に、図３を参照して、ＭＦＤ１におけるＬＣＤ３６の表示について説明する。図３は、ＭＦＤ１における各モード毎のＬＣＤ３６に表示される待機表示を模式的に示す図である。図３において、図３（ａ）〜（ｈ）は、ＬＣＤ３６が１行表示モデルである場合の待機表示を示す図であり、また、図３（ｉ）〜（ｐ）は、ＬＣＤ３６が２行表示モデルである場合の待機表示を示す図である。
【００４６】
１行表示のＬＣＤ３６における待機表示を示す図３（ａ）〜（ｈ）のうち、図３（ａ）〜（ｄ）は、ＰＣ−ＦＡＸメモリ１６ａに未転送ＦＡＸデータが格納されていない場合の待機表示を示す図である。
【００４７】
図３（ａ）は、ＦＡＸモードにおける待機表示であり、ＬＣＤ３６には、日付及び時刻の表示である「０６／１１  １５：１２」と共に、その日付及び時刻表示の右方に、ファックスと電話とが自動的に切り換えられる設定であることを示す「Ｆ／Ｔ」の文字が表示されている。なお、「Ｆ／Ｔ」の表示部分は、設定に応じて、ファックス送受信専用の設定であることを示す「ＦＡＸ」の表示又は音声送受信専用の設定であることを示す「ＴＥＬ」の表示に切り換えられる。
【００４８】
図３（ｂ）は、ＣＯＰＹモードにおける待機表示であり、出力時の拡大又は縮小率の値を示す「１００％」の文字と、その拡大又は縮小率の表示の右方に、出力時の画質を示す「Ｎｏｒｍａｌ」の文字が表示されている。さらに、画質の表示の右方に、コピー枚数を示す「０１」の文字が表示されている。
【００４９】
図３（ｃ）は、ＳＣＡＮモードにおける待機表示であり、スキャナ部２２による画像の取り込みによって生成され、ＲＡＭ１６における所定の記憶領域に格納されているイメージデータを選択させることをユーザに認識させるための「Ｓｃａｎ：Ｓｅｌｅｃｔ」の文字と、その文字の右方に、ＭＦＤ１のＲＡＭ１６に格納されているイメージデータの中から、ユーザが所望するデータを選択させるための２つの互いに反対方向を向く矢印が表示されている。また、図３（ｄ）は、ＰＣＣモードにおける待機表示であり、外部メディアスロット４０に装着された外部メディアに記憶されているイメージデータ（写真データなど）を選択させることをユーザに認識させるための「Ｐｈｏｔｏ：Ｓｅｌｅｃｔ」の文字と、その文字の右方に、外部メディアに格納されているイメージデータの中から、ユーザが所望するデータを選択させるための２つの互いに反対方向を向く矢印が表示されている。なお、図３（ｃ）及び図３（ｄ）の表示がされている場合、ユーザは、操作入力キー３４ｂを用いて、これらの矢印のいずれかにカーソルを配置させ、操作入力キー３４ｂの中央部を押下することにより所望するイメージデータを選択することができる。
【００５０】
一方で、１行表示のＬＣＤ３６における待機表示を示す図３（ａ）〜（ｈ）のうち、図３（ｅ）〜（ｈ）は、ＰＣ−ＦＡＸメモリ１６ａに未転送ＦＡＸデータが格納されている場合の待機表示を示す図である。図３（ｅ）は、ＦＡＸモードにおける待機表示であり、後述する待機表示処理（図７参照）の結果として、ＰＣ２に転送されず、ＲＡＭ１６（ＰＣ−ＦＡＸメモリ１６ａ）に記憶されている未転送ＦＡＸデータの数が表示される。なお、図３（ｅ）における「ＰＣ  Ｆａｘ  Ｍｓｇ：００３」との表示は、ＲＡＭ１６（ＰＣ−ＦＡＸメモリ１６ａ）に記憶されている未転送ＦＡＸデータが３件あることを示している。
【００５１】
図３（ｆ）〜（ｈ）は、それぞれ、ＣＯＰＹモード、ＳＣＡＮモード、ＰＣＣモードにおける、ＰＣ−ＦＡＸメモリ１６ａに未転送ＦＡＸデータが格納されている場合の待機表示を示す図であるが、これらは、各モードにおいて、ＰＣ−ＦＡＸメモリ１６ａに未転送ＦＡＸデータが格納されていない場合の待機表示（図３（ｂ）〜（ｄ））と同じ表示がされている。
【００５２】
図３（ａ）〜（ｈ）に示すように、第１実施例のＭＦＤ１では、ＰＣ−ＦＡＸメモリ１６ａに未転送ＦＡＸデータが格納されている場合に、ＦＡＸモード時における待機表示にのみ、未転送ＦＡＸデータの数が表示される。
【００５３】
また、２行表示のＬＣＤ３６における待機表示を示す図３（ｉ）〜（ｐ）のうち、図３（ｉ）〜（ｌ）は、ＰＣ−ＦＡＸメモリ１６ａに未転送ＦＡＸデータが格納されていない場合の待機表示を示す図である。
【００５４】
図３（ｉ）は、ＦＡＸモードにおける待機表示であり、ＬＣＤ３６には、上段に図３（ａ）と同様の表示がされる共に、下段には、送信時における解像度の設定を示す「Ｒｅｓ：Ｓｔａｎｄａｒｄ」の文字が表示されている。また、図３（ｊ）は、ＣＯＰＹモードにおける待機表示であり、ＬＣＤ３６には、上段に図３（ｂ）と同様の表示がされる共に、下段には、記録紙がＰＰＣ用紙に設定されていることを示す「Ｐｌａｉｎ」の文字と、その右方に記録紙のサイズがＡ４サイズに設定されていることを示す「Ａ４」の文字とが表示されている。また、図３（ｋ）及び図３（ｌ）は、それぞれ、ＳＣＡＮモード及びＰＣＣモードにおける待機表示である。図３（ｋ）及び図３（ｌ）に示すように、これらのモードでは、ＬＣＤ３６の上段に、それぞれ、図３（ｃ）及び図３（ｄ）と同様の表示がされている。
【００５５】
一方で、２行表示のＬＣＤ３６における待機表示を示す図３（ｉ）〜（ｐ）のうち、図３（ｍ）から図３（ｐ）は、ＰＣ−ＦＡＸメモリ１６ａに未転送ＦＡＸデータが格納されている場合の待機表示を示す図である。図３（ｍ）は、ＦＡＸモードにおける待機表示であり、ＬＣＤ３６の下段には、後述する待機表示処理（図７参照）の結果として、ＰＣ２に転送されず、ＲＡＭ１６（ＰＣ−ＦＡＸメモリ１６ａ）に記憶されている未転送ＦＡＸデータの数が図３（ｅ）と同様の形態で表示される。
【００５６】
図３（ｎ）〜（ｐ）は、それぞれ、ＣＯＰＹモード、ＳＣＡＮモード、ＰＣＣモードにおける、ＰＣ−ＦＡＸメモリ１６ａに未転送ＦＡＸデータが格納されている場合の待機表示を示す図であるが、これらは、各モードにおいて、ＰＣ−ＦＡＸメモリ１６ａに未転送ＦＡＸデータが格納されていない場合の待機表示（図３（ｊ）〜（ｌ））と同様の表示がされている。
【００５７】
図３（ｉ）〜（ｐ）に示すように、第１実施例のＭＦＤ１では、ＰＣ−ＦＡＸメモリ１６ａに未転送ＦＡＸデータが格納されている場合に、ＦＡＸモード時における待機表示にのみ、未転送ＦＡＸデータの数が表示される。
【００５８】
ＬＣＤ３６が、図３に示したような１行又は２行表示である場合には、表示可能な情報量が限定される。特に、ＣＯＰＹモードの場合には、図３（ｂ），（ｆ），（ｊ），（ｎ）に示したように、待機表示において、コピー枚数や拡大・縮小率等のコピー設定が表示され、このコピー設定の表示を行わないことは、ＭＦＤ１においてコピー機能を使うユーザにとって不都合となる。その一方で、ＦＡＸモードの場合には、図３（ａ），（ｅ），（ｉ），（ｍ）に示したように、待機表示において、現在時刻と日付が主に表示されている。未転送ＦＡＸデータが存在する場合、ＦＡＸモードにおいて表示される現在時刻や日付の表示を、未転送ＦＡＸデータの数の表示に換えることは、合理的であると共に、その他のモードにおいて表示される情報を見難くすることがないので、多機能周辺装置全体の操作を向上できる。また、一般的に、ＭＦＤ１は、主に、ファクシミリ装置（ＦＡＸモード）かコピー装置（ＣＯＰＹモード）として用いられるので、これらのモードと比べて設定される頻度の少ないＳＣＡＮモードやＰＣＣモードにおいて未転送ＦＡＸデータの数を表示させるよりも、ＦＡＸモードにおいて未転送ＦＡＸデータの数を表示させるのが最も合理的である。
【００５９】
次に、図４のフローチャートを参照して、上記のように構成された第１実施例のＭＦＤ１において実行されるメイン処理について説明する。なお、図４のフローチャートで示す処理を実行するプログラムは、制御プログラムの一部としてＲＯＭ１４に記憶されている。
【００６０】
図４は、第１実施例のＭＦＤ１で実行されるメイン処理のフローチャートであり、操作入力キー３４ａの操作によって電源が投入されると起動する処理であり、電源が投入されている間、ＣＰＵ１０によって繰り返し実行される。
【００６１】
このメイン処理では、まず、ユーザによってモード選択キー３４ｃ（３４ｃ１〜３４ｃ４）が押されたか否かを確認する（Ｓ４０１）。Ｓ４０１の処理により確認した結果、ユーザによってモード選択キー３４ｃが押されていれば（Ｓ４０１：Ｙｅｓ）、押されたモード選択キー３４ｃがＦＡＸモードキーである３４ｃ３であるか否かを確認し（Ｓ４０２）、押されたモード選択キー３４ｃがＦＡＸモードキー３４ｃ３であれば（Ｓ４０２：Ｙｅｓ）、ＭＦＤ１のモードをＦＡＸモードとし（Ｓ４１０）、Ｓ４０６の処理へ移行する。
【００６２】
一方で、Ｓ４０２の処理により確認した結果、押されたモード選択キー３４ｃがＦＡＸモードキー３４ｃ３でなければ（Ｓ４０２：Ｎｏ）、押されたモード選択キー３４ｃがＣＯＰＹモードキー３４ｃ２であるか否かを確認し（Ｓ４０３）、押されたモード選択キー３４ｃがＣＯＰＹモードキー３４ｃ２であれば（Ｓ４０３：Ｙｅｓ）、ＭＦＤ１のモードをＣＯＰＹモードとし（Ｓ４１１）、Ｓ４０６の処理へ移行する。
【００６３】
また、Ｓ４０３の処理により確認した結果、押されたモード選択キー３４ｃがＣＯＰＹモードキー３４ｃ２でなければ（Ｓ４０３：Ｎｏ）、押されたモード選択キー３４ｃがＳＣＡＮモードキーである３４ｃ４であるか否かを確認し（Ｓ４０４）、押されたモード選択キー３４ｃがＳＣＡＮモードキー３４ｃ４であれば（Ｓ４０４：Ｙｅｓ）、ＭＦＤ１のモードをＳＣＡＮモードとし（Ｓ４１２）、Ｓ４０６の処理へ移行する。
【００６４】
また、Ｓ４０４の処理により確認した結果、押されたモード選択キー３４ｃがＳＣＡＮモードキー３４ｃ４でなければ（Ｓ４０４：Ｎｏ）、押されたモード選択キー３４ｃは残るＰＣＣモードキー３４ｃ１であるので、ＭＦＤ１のモードをＰＣＣモードとし（Ｓ４０５）、Ｓ４０６の処理へ移行する。
【００６５】
上記のように、Ｓ４０１〜Ｓ４０５，Ｓ４１０〜Ｓ４１２の処理により、押されたモード選択キー３４ｃ（３４ｃ１〜３４ｃ４）の種類に応じて、ＭＦＤ１におけるモードが設定されると、図３に示したような各モードに応じた待機表示がＬＣＤ３６に表示されることになる。
【００６６】
続いて、Ｓ４０６の処理では、ユーザによってＰＣ−ＦＡＸ設定がされたか否か、即ち、ＬＣＤ３６に表示された選択肢の中からＰＣ−ＦＡＸ設定をオンにするための選択肢が、ユーザによる操作入力キー３４ｂの操作により選択されたか否かを確認する。このＳ４０６の処理により確認した結果、ユーザによってＰＣ−ＦＡＸ設定がされていれば（Ｓ４０６：Ｙｅｓ）、ＭＦＤ１における受信設定をＰＣ−ＦＡＸ設定とし（Ｓ４１３）、Ｓ４０７の処理へ移行する。一方で、Ｓ４０６の処理により確認した結果、ユーザによるＰＣ−ＦＡＸ設定がされていなければ（Ｓ４０６：Ｎｏ）、Ｓ４１３をスキップしてＳ４０７の処理へ移行する。
【００６７】
Ｓ４０７の処理では、ユーザによってバックアップ印刷設定がされたか否か、即ち、ＬＣＤ３６に表示された選択肢の中からバックアップ印刷設定をオンにするための選択肢が、ユーザによる操作入力キー３４ｂの操作により選択されたか否かを確認する。このＳ４０７の処理により確認した結果、ユーザによってバックアップ印刷設定がされていれば（Ｓ４０７：Ｙｅｓ）、ＭＦＤ１におけるバックアップ印刷設定をオンとし（Ｓ４１４）、Ｓ４０８の処理へ移行する。一方で、Ｓ４０７の処理により確認した結果、ユーザによるバックアップ印刷設定がされていなければ（Ｓ４０７：Ｎｏ）、Ｓ４１４をスキップしてＳ４０８の処理へ移行する。
【００６８】
Ｓ４０８の処理では、ユーザによってバックアップ印刷設定の解除がされたか否か、即ち、ＬＣＤ３６に表示された選択肢の中からバックアップ印刷設定をオフにするための選択肢が、ユーザによる操作入力キー３４ｂの操作により選択されたか否かを確認する。このＳ４０８の処理により確認した結果、ユーザによってバックアップ印刷設定が解除されていれば（Ｓ４０８：Ｙｅｓ）、ＭＦＤ１におけるバックアップ印刷設定をオフとし（Ｓ４１５）、各処理（Ｓ４０９）の処理へ移行する。一方で、Ｓ４０８の処理により確認した結果、ユーザによるバックアップ印刷設定の解除がされていなければ（Ｓ４０８：Ｎｏ）、Ｓ４１５をスキップして各処理（Ｓ４０９）の処理へ移行する。
【００６９】
各処理（Ｓ４０９）では、各モードにおける動作（例えば、ＦＡＸモードにおいてファクシミリデータを送信する）の実行指示に応じた処理や、上記したＳ４０１〜Ｓ４０８以外の設定入力（例えば、ＰＣ−ＦＡＸモード設定を解除する設定の入力）に応じた処理などが実行される。Ｓ４０９の処理後、Ｓ４０１に移行し、Ｓ４０１〜Ｓ４１５の処理を繰り返し実行する。
【００７０】
次に、図５及び図６のフローチャートを参照して、第１実施例のＭＦＤ１がＰＣ−ＦＡＸ設定されている場合における受信されたＦＡＸデータに対する処理について説明する。図５は、ＭＦＤ１において実行されるＰＣ−ＦＡＸデータ受信処理のフローチャートであり、図６は、図５のＰＣ−ＦＡＸデータ処理の一部であるＰＣ−ＦＡＸデータ転送処理のフローチャートである。なお、図５及び図６のフローチャートで示す処理を実行するプログラムは、制御プログラムの一部としてＲＯＭ１４に記憶されている。
【００７１】
図５に示すＰＣ−ＦＡＸデータ受信処理は、ＭＦＤ１がＰＣ−ＦＡＸ設定されている場合にＦＡＸデータを受信すると起動する処理である。なお、起動するトリガとなるＦＡＸデータとしては、相手側装置から電話回線網１００を経由して受信したファクシミリデータ、又は、相手側装置からＬＡＮ２００を経由して受信したインターネットファクシミリデータのいずれであってもよい。
【００７２】
このＰＣ−ＦＡＸデータ受信処理では、まず、受信したＦＡＸデータを、ＰＣ−ＦＡＸメモリ１６ａにおいて新たに追加された第（ｎ＋１）ＰＣ−ＦＡＸメモリ１６ａ（ｎ＋１）における第（ｎ＋１）受信ＦＡＸデータメモリ１６ａ（ｎ＋１）１に格納する（Ｓ５０１）。なお、Ｓ５０１における変数ｎは、ＦＡＸデータ受信時におけるＰＣ未転送カウンタ１６ｂの値ｎと等しい値である。例えば、ＦＡＸデータ受信時におけるＰＣ未転送カウンタ１６ｂの値ｎが０である場合、即ち、ＰＣ−ＦＡＸメモリ１６ａに未転送ＦＡＸデータが格納されていない場合には、受信ＦＡＸデータは、第１ＰＣ−ＦＡＸメモリ１６ａ１における第１受信ＦＡＸデータメモリ１６ａ１１に格納される。
【００７３】
Ｓ５０１の処理後、ＰＣ未転送カウンタ１６ｂの値ｎを＋１する（Ｓ５０２）。なお、このＳ５０２の処理により、ＰＣ未転送カウンタ１６ｂの値ｎが、ＰＣ２へ未だ転送されていない未転送ＦＡＸデータの数を表すこととなる。
【００７４】
Ｓ５０２の処理後、ＰＣ２へ受信ＦＡＸデータ及び／又は未転送ＦＡＸデータを転送するＰＣ−ＦＡＸデータ転送処理（Ｓ５０３）を実行し、このＰＣ−ＦＡＸデータ受信処理を終了する。
【００７５】
次に、図６を参照して、上記のＰＣ−ＦＡＸデータ転送処理（Ｓ５０３）について説明する。図６に示すように、ＰＣ−ＦＡＸデータ転送処理（Ｓ５０３）では、まず、ＭＦＤ１において、バックアップ印刷設定がオンであるか否かを確認する（Ｓ６０１）。Ｓ６０１の処理により確認した結果、バックアップ印刷設定がオンであれば（Ｓ６０１：Ｙｅｓ）、プリンタ部２４によるプリンタ印刷が可能であるか否か、例えば、記録紙が所定の給紙位置（非図示）にセットされているか否かや、インクの残量が十分であるか否か等を確認する（Ｓ６０２）。Ｓ６０２の処理により確認した結果、プリンタ部２４によるプリンタ印刷が可能であれば（Ｓ６０２：Ｙｅｓ）、変数ｙを１に設定し（Ｓ６０３）、第ｙ印刷完了フラグ１６ａｙ２がオンされているか、即ち、第ｙＰＣ−ＦＡＸメモリオ１６ａｙにおいて、第ｙ印刷完了フラグ１６ａｙ２と対応付けられている第ｙ受信ＦＡＸデータメモリに格納されている受信ＦＡＸデータに対応する画像が記録紙に印刷されているかを確認する（Ｓ６０４）。なお、Ｓ６０３の次に行われるＳ６０４の処理においては、第１印刷完了フラグ１６ａ１２がオンであるか否かが確認されることになる。
【００７６】
Ｓ６０４の処理により確認した結果、第ｙ印刷完了フラグ１６ａｙ２がオフであれば、即ち、第ｙ受信ＦＡＸデータに格納されているＦＡＸデータに対応する画像が記録紙に未だ印刷されていない場合には（Ｓ６０４：Ｎｏ）、第ｙ受信ＦＡＸデータメモリに格納されているＦＡＸデータに対応する画像をプリンタ部２４で印刷し（Ｓ６０５）、第ｙ印刷完了フラグ１６ａｙ２をオンとする（Ｓ６０６）。Ｓ６０６の処理後、Ｓ６０７の処理へ移行する。
【００７７】
一方で、Ｓ６０２の処理により確認した結果、プリンタ部２４によるプリンタ印刷ができない状態にある場合（Ｓ６０２：Ｎｏ）には、Ｓ６０３〜Ｓ６０６の処理をスキップして、Ｓ６０７の処理へ移行する。また、Ｓ６０４の処理により確認した結果、第ｙ印刷完了フラグがオンであれば、Ｓ６０５，Ｓ６０６の処理をスキップして、Ｓ６０７の処理へ移行する。
【００７８】
Ｓ６０７の処理では、ＦＡＸデータをＰＣ２へ転送することが可能であるか否か、即ち、ＰＣ２が起動し、ＭＦＤ１とＰＣ２との通信を行うための専用アプリケーションが起動しているか否かを、例えば、ＰＣＩ／Ｆ４２におけるＵＳＢ端子経由で確認する。
【００７９】
Ｓ６０７の処理により確認した結果、ＦＡＸデータをＰＣ２へ転送することが可能であれば、第１受信ＦＡＸデータメモリ１６ａ１１に格納されているＦＡＸデータを１ファイルとしてＰＣ２に転送する（Ｓ６０８）。次いで、Ｓ６０８の処理によりＦＡＸデータがＰＣ２に転送されてから、所定時間（例えば、５秒）以内に、ＦＡＸデータを受信したＰＣ２から送信された転送完了信号を受信したか否かを確認し（Ｓ６０９）、Ｓ６０８の処理がされてから所定時間以内にＰＣ２から転送完了信号を受信されなかった場合には（Ｓ６０９：Ｎｏ）、このＰＣ−ＦＡＸデータ転送処理（Ｓ５０３）を終了する。
【００８０】
一方で、Ｓ６０９の処理により確認した結果、Ｓ６０８の処理がされてから所定時間以内にＰＣ２から転送完了信号が受信された場合には（Ｓ６０９：Ｙｅｓ）、第１受信ＦＡＸデータメモリ１６ａ１１に格納されているＦＡＸデータを消去する（Ｓ６１０）。
【００８１】
Ｓ６１０の処理後、第ｘＰＣ−ＦＡＸメモリ１６ａｘ（ｘ＝２〜ｎ）の内容（第ｘ受信ＦＡＸデータメモリ１６ａｘ１及び第ｘ印刷完了フラグ１６ａｘ２）を、それぞれ、第（ｘ−１）ＰＣ−ＦＡＸメモリ１６ａ（ｘ−１）へシフトする（Ｓ６１１）。例えば、第２ＰＣ−ＦＡＸメモリ１６ａ２の内容（第２受信ＦＡＸデータメモリ１６ａ２１及び第２印刷完了フラグ１６ａ２２）を、第１ＰＣ−ＦＡＸメモリ１６ａ１における第１受信ＦＡＸデータメモリ１６ａ１１及び第１印刷完了フラグ１６ａ１２にシフトする。
【００８２】
Ｓ６１１の処理後、ＰＣ未転送カウンタ１６ｂの値ｎを−１する（Ｓ６１２）。なお、このＳ６１２の処理により、ＰＣ未転送カウンタ１６ｂの値ｎが、ＰＣ２へ未だ転送されていない未転送ＦＡＸデータの数を表すこととなる。
【００８３】
Ｓ６１２の処理後、第１ＰＣ−ＦＡＸメモリ１６ａ１にデータ（第１受信ＦＡＸデータメモリ１６ａ１１に格納される受信ＦＡＸデータ）があるか否かを確認し（Ｓ６１３）、第１ＰＣ−ＦＡＸメモリ１６ａ１にデータがなければ（Ｓ６１３：Ｎｏ）、このＰＣ−ＦＡＸデータ処理を終了する。また、Ｓ６１３の処理により確認した結果、第１ＰＣ−ＦＡＸメモリ１６ａ１にデータがあれば（Ｓ６１３：Ｙｅｓ）、Ｓ６０３の処理へ移行し、Ｓ６０３〜Ｓ６１３の処理を繰り返す。
【００８４】
一方で、Ｓ６０７の処理により確認した結果、ＦＡＸデータをＰＣ２へ転送することができなければ（Ｓ６０７：Ｎｏ）、変数ｙがｎ（ｎは、ＰＣ未転送カウンタの示す値）であるか否か、即ち、時間的に最も新しい第ｎＦＡＸデータメモリに格納される受信ＦＡＸデータに対してＳ６０４〜Ｓ６０６の処理が行われたかを確認する（Ｓ６１４）。
【００８５】
Ｓ６１４の処理により確認した結果、変数ｙ＝ｎであれば（Ｓ６１４：Ｙｅｓ）、このＰＣ−ＦＡＸデータ転送処理（Ｓ５０３）を終了する。一方で、Ｓ６１４の処理により確認した結果、変数ｙがｎ未満（ｙ＜ｎ）であれば（Ｓ６１４：Ｎｏ）、変数ｙに１を加算して（Ｓ６１５）、Ｓ６０４の処理へ移行する。
【００８６】
Ｓ６０２〜Ｓ６０７，Ｓ６１４〜Ｓ６１５の処理により、バックアップ印刷設定がオンにされている場合において、ＭＦＤ１が、プリンタ部２４によるプリンタ印刷可能であるが、ＰＣ２へ転送ができない状態にあれば、受信ＦＡＸデータ（又は、未転送ＦＡＸデータ）としてＰＣ−ＦＡＸメモリに蓄積されているＦＡＸデータが、プリンタ部２４により、記録紙に対応する画像が印刷される。よって、受信ＦＡＸデータや未転送ＦＡＸデータがＰＣ２へ転送できない場合であっても、それらのＦＡＸデータに対応する画像が記録紙に印刷されるので、ユーザは、受信ＦＡＸデータ（又は、未転送ＦＡＸデータ）の内容を確認することができる。ここで、ユーザが、記録紙に印刷された内容を確認し、ＰＣ２への転送を不要と判断した場合には、所定の操作をすることによって、ＭＦＤ１のＲＡＭ１６（ＰＣ−ＦＡＸメモリ１６ａ）からそのデータを消去できるように構成してもよい。それによって、ＰＣ−ＦＡＸメモリ１６ａに格納し得るメモリ容量を確保することができる。
【００８７】
また、Ｓ６０２〜Ｓ６０７，Ｓ６１４〜Ｓ６１５の処理により、バックアップ印刷設定がオンにされている場合において、受信ＦＡＸデータ（又は、未転送ＦＡＸデータ）としてＰＣ−ＦＡＸメモリ１６ａに蓄積されているＦＡＸデータが、プリンタ部２４により、記録紙に対応する画像が印刷された場合であっても、ＰＣ２に転送できなければ、Ｓ６１０の処理が実行されないために、その受信ＦＡＸデータ（又は、未転送ＦＡＸデータ）は保持される。従って、受信ＦＡＸデータ（又は、未転送ＦＡＸデータ）は、そのデータに基づく画像が記録媒体に記録されるだけでなく、ファイルとしてＰＣ２へ転送されるので、ＰＣ２においてそのファイルを保存させることにより、受信ＦＡＸデータの有効活用を図ることができる。
【００８８】
また、Ｓ６０２及びＳ６０７の処理により、バックアップ印刷設定がオンにされている場合において、ＭＦＤ１が、ＰＣ２へ転送ができる状態であるが、プリンタ部２４によるプリンタ印刷が可能でなければ、Ｓ６０８〜Ｓ６１０の処理により、ＰＣ２への転送が正常に完了したことが確認できればそのデータがＲＡＭ１６（ＰＣ−ＦＡＸメモリ１６ａ）から消去されるので、ＰＣ２へのデータ転送を効率的に行うことができる。
【００８９】
一方で、Ｓ６０１の処理により確認した結果、バックアップ印刷設定がオフであれば（Ｓ６０１：Ｎｏ）、上述したＳ６０７の処理と同様に、受信ＦＡＸデータをＰＣ２へ転送することが可能であるか否かを確認する（Ｓ６１６）。Ｓ６１６の処理により確認した結果、ＦＡＸデータをＰＣ２へ転送することが可能であれば、第１受信ＦＡＸデータメモリ１６ａ１１に格納されているＦＡＸデータを１ファイルとしてＰＣ２に転送する（Ｓ６１７）。次いで、Ｓ６１７の処理によりＦＡＸデータがＰＣ２に転送されてから、所定時間（例えば、５秒）以内に、ＦＡＸデータを受信したＰＣ２から送信された転送完了信号を受信したか否かを確認し（Ｓ６１８）、Ｓ６１７の処理がされてから所定時間以内にＰＣ２から転送完了信号を受信されなかった場合には（Ｓ６１８：Ｎｏ）、このＰＣ−ＦＡＸデータ転送処理（Ｓ５０３）を終了する。
【００９０】
一方で、Ｓ６１８の処理により確認した結果、Ｓ６１７の処理がされてから所定時間以内にＰＣ２から転送完了信号が受信された場合には（Ｓ６１８：Ｙｅｓ）、第１受信ＦＡＸデータメモリ１６ａ１１に格納されているＦＡＸデータを消去する（Ｓ６１９）。
【００９１】
Ｓ６１９の処理後、第ｘＰＣ−ＦＡＸメモリ１６ａｘ（ｘ＝２〜ｎ）の内容（第ｘ受信ＦＡＸデータメモリ１６ａｘ１及び第ｘ印刷完了フラグ１６ａｘ２）を、それぞれ、第（ｘ−１）ＰＣ−ＦＡＸメモリ１６ａ（ｘ−１）へシフトする（Ｓ６２０）。例えば、第２ＰＣ−ＦＡＸメモリ１６ａ２の内容（第２受信ＦＡＸデータメモリ１６ａ２１及び第２印刷完了フラグ１６ａ２２）を、第１ＰＣ−ＦＡＸメモリ１６ａ１における第１受信ＦＡＸデータメモリ１６ａ１１及び第１印刷完了フラグ１６ａ１２にシフトする。
【００９２】
Ｓ６２０の処理後、ＰＣ未転送カウンタ１６ｂの値ｎを−１する（Ｓ６２１）。なお、このＳ６２１の処理により、ＰＣ未転送カウンタ１６ｂの値ｎが、ＰＣ２へ未だ転送されていない未転送ＦＡＸデータの数を表すこととなる。
【００９３】
Ｓ６２１の処理後、第１ＰＣ−ＦＡＸメモリ１６ａ１にデータ（第１受信ＦＡＸデータメモリ１６ａ１１に格納される受信ＦＡＸデータ）があるか否かを確認し（Ｓ６２２）、第１ＰＣ−ＦＡＸメモリ１６ａ１にデータがなければ（Ｓ６２２：Ｎｏ）、このＰＣ−ＦＡＸデータ処理を終了する。また、Ｓ６２２の処理により確認した結果、第１ＰＣ−ＦＡＸメモリ１６ａ１にデータがあれば（Ｓ６２２：Ｙｅｓ）、Ｓ６１７の処理へ移行し、Ｓ６１７〜Ｓ６２２の処理を繰り返す。
【００９４】
このＰＣ−ＦＡＸデータ転送処理（Ｓ５０３）における、Ｓ６０８〜Ｓ６１０、又は、Ｓ６１７〜Ｓ６１９の処理により、受信ＦＡＸデータ（又は、未転送ＦＡＸデータ）がＰＣ２へ正常に転送されたことが確認されてから、その転送されたデータに対応する受信ＦＡＸデータがＭＦＤ１のＲＡＭ１６（ＰＣ−ＦＡＸメモリ１６ａ）から消去されるので、転送失敗による受信ＦＡＸデータ（又は、未転送ＦＡＸデータ）の消失を防止することができる。
【００９５】
また、Ｓ６０８〜Ｓ６１０、又は、Ｓ６１７〜Ｓ６１９の処理では、ＰＣ２へ転送される受信ＦＡＸデータ（又は、未転送ＦＡＸデータ）は、１単位の受信ＦＡＸデータ（又は、未転送ＦＡＸデータ）、即ち、第ｘ受信ＦＡＸデータメモリ１６ａｘ１（ｘ＝１〜ｎ）に格納される１つの受信ＦＡＸデータ（又は、未転送ＦＡＸデータ）毎に１ファイルとして転送するので、ＰＣ２における受信ＦＡＸデータの管理を容易にすることができる。また、ＰＣ−ＦＡＸメモリ１６ａに複数の未転送ＦＡＸデータが存在する場合に、転送中の不具合や転送中の電源断などの原因によってＰＣ２への受信ＦＡＸデータ（又は、未転送ＦＡＸデータ）の転送が失敗した場合であっても、少なくとも、転送に失敗する以前に正常に転送が完了したファイルについては、データの再転送が不要であるので、データの転送作業を効率化し得る。
【００９６】
次に、図７のフローチャートを参照して、第１実施例のＭＦＤ１における各モード時（ＦＡＸモード時、ＣＯＰＹモード時、ＳＣＡＮモード時、ＰＣＣモード時）の待機表示について説明する。図７は、ＭＦＤ１において実行される待機表示処理のフローチャートである。
【００９７】
図７に示す待機表示処理は、ＭＦＤ１が各種動作を作動していない待機状態になると起動する処理であり、まず、ＭＦＤ１のモードがＦＡＸモードであるか否かを確認する（Ｓ７０１）。Ｓ７０１の処理により確認した結果、ＭＦＤ１のモードがＦＡＸモードであれば（Ｓ７０１：Ｙｅｓ）、ＰＣ未転送カウンタ１６ｂの値ｎは、１以上であるか否か、即ち、ＰＣ２へ未だ転送されていない受信ＦＡＸデータ（未転送ＦＡＸデータ）がＰＣ−ＦＡＸメモリ１６ａに格納されているか否かを確認する（Ｓ７０２）。
【００９８】
Ｓ７０２の処理により確認した結果、ＰＣ未転送カウンタ１６ｂの値ｎが１以上であれば（Ｓ７０２：Ｙｅｓ）、ＰＣ未転送カウンタ１６ｂの値ｎを参照し、未転送ＦＡＸデータの数（即ち、ｎ）をＬＣＤ３６に表示する（Ｓ７０３）。Ｓ７０３の処理の結果として、ＬＣＤ３６が１行表示タイプであれば、図３（ｅ）に示したような表示が表示される。
【００９９】
Ｓ７０３の処理後、ＭＦＤ１の待機状態が解除されたか否かを確認し（Ｓ７０４）、ＭＦＤ１の待機状態が解除されていれば（Ｓ７０４：Ｙｅｓ）、この待機表示処理を終了する。待機表示処理が終了すると、ＭＦＤ１の動作状況（例えば、ファクシミリデータの送信）に応じた表示が表示される。
【０１００】
また、Ｓ７０２の処理により確認した結果、ＰＣ未転送カウンタ１６ｂの値ｎが０であれば（Ｓ７０２：Ｎｏ）、ＦＡＸモード用の待機表示をＬＣＤ３６に表示し（Ｓ７０６）、Ｓ７０４の処理へ移行する。なお、Ｓ７０６の処理により、ＬＣＤ３６が１行表示タイプであれば、図３（ａ）に示したような表示が表示される。
【０１０１】
一方で、Ｓ７０１の処理により確認した結果、ＭＦＤ１のモードがＦＡＸモード以外の場合、即ち、ＣＯＰＹモード、ＳＣＡＮモード、ＰＣＣモードモードである場合には（Ｓ７０１：Ｎｏ）、各モードに応じた待機表示をＬＣＤ３６に表示し（Ｓ７０５）、Ｓ７０４の処理へ移行する。。Ｓ７０５の結果として、例えば、ＭＦＤ１がＣＯＰＹモードである場合には、ＰＣ−ＦＡＸメモリ１６ａに未転送ＦＡＸデータが格納されているか否かに関わらず、１行表示タイプのＬＣＤ３６には、図３（ｂ）又は図３（ｆ）に示したＣＯＰＹモード用の待機表示が表示される。
【０１０２】
また、Ｓ７０４の処理により確認した結果、ＭＦＤ１が引き続き待機状態であれば（Ｓ７０４：Ｎｏ）、Ｓ７０１の処理へ移行し、Ｓ７０１〜Ｓ７０３，Ｓ７０５〜Ｓ７０６の処理を繰り返す。
【０１０３】
以上説明したように、第１実施例のＭＦＤ１では、受信ＦＡＸデータをＰＣ２へ転送する設定（ＰＣ−ＦＡＸ設定）である場合に、ＰＣ２に電源が入ってないなどの原因によって受信ＦＡＸデータがＰＣ２へ転送されない未転送ＦＡＸデータが存在する場合には、その未転送ＦＡＸデータの数が、ＦＡＸモードに設定されている場合に表示される。よって、ＭＦＤ１がＦＡＸモードである場合に、ディスプレイに表示される待機表示は、図３（ａ）に示すように現在時刻と日付であるので、未転送ＦＡＸデータが存在する場合、ＦＡＸモードにおいて表示される現在時刻や日付の表示を、未転送ＦＡＸデータの数の表示に換えることは、合理的であると共に、その他のモードにおいて表示される情報を見難くすることがないので、多機能周辺装置全体の操作を向上できる。
【０１０４】
また、ＭＦＤ１からＰＣ２へ受信ＦＡＸデータ（又は、未転送ＦＡＸデータ）の転送ができない間は少なくとも、未転送ＦＡＸデータの数が表示手段に表示されるので、ユーザは、その表示によって未転送ＦＡＸデータの存在を認識することができる。従って、未転送ＦＡＸデータの存在を認識ユーザによってＰＣ２が転送可能な状態とされることにより、未転送ＦＡＸデータをＰＣ２へ確実に転送させることができる。
【０１０５】
また、第１実施例のＭＦＤ１では、未転送ＦＡＸデータとしてＰＣ−ＦＡＸメモリ１６ａに格納されたデータを、１単位ずつ１ファイルとしてＰＣ２へ転送するので、転送先のＰＣ２における管理を容易にすることができる。さらに、１データ（受信ＦＡＸデータ又は未転送ＦＡＸデータ）を１ファイルとして転送するので、あるファイルの転送が不具合等によって失敗した場合であっても、そのファイル以前に転送が完了したファイルに対応するデータについては少なくとも、再転送を不要とすることができるので、データの転送作業を効率化できるという効果がある。
【０１０６】
また、第１実施例のＭＦＤ１では、ＰＣ２へ受信ＦＡＸデータ（又は、未転送ＦＡＸデータ）を転送した場合に、転送が正常に行われたと確認されると、その転送されたデータに対応するデータがＰＣ−ＦＡＸメモリ１６ａから消去される。即ち、正常にＰＣ２へ転送されたデータ（受信ＦＡＸデータ又は未転送ＦＡＸデータ）のみが、ＭＦＤ１のメモリ（ＰＣ−ＦＡＸメモリ１６ａ）から消去される。よって、通信の不具合等による転送失敗のために、ＰＣ２へ転送できなかったデータを消失させてしまうことを防止できる。
【０１０７】
また、第１実施例のＭＦＤ１では、設定に応じて、受信ＦＡＸデータをＰＣ２へ転送するだけでなく、プリンタ部２４によりその受信ＦＡＸデータに対応する画像を印刷することができる。よって、受信データの内容を早急に確認することができるという効果がある。また、上記のような、受信ＦＡＸデータをＰＣ２へ転送するだけでなく、プリンタ部２４によりその受信ＦＡＸデータに対応する画像を印刷する設定を、ユーザが行うことができるので、ユーザの使い勝手が向上すると共に、不要な記録によって印刷用紙などの記録媒体を無駄に消費することを防止することができる。
【０１０８】
また、受信ＦＡＸデータをＰＣ２へ転送すると共に、プリンタ部２４によりその受信ＦＡＸデータに対応する画像を印刷する場合に、プリンタ部２４により印刷がされてもＰＣ２へ転送されなければ、受信ＦＡＸデータ（又は、未転送ＦＡＸデータ）はＰＣ−ＦＡＸメモリ１６ａに保持される。よって、受信ＦＡＸデータは、該データに基づく画像が記録媒体に記録されるだけでなく、ファイルとして該通信端末に転送されるので、そのファイルをＰＣ２において保存させることにより、受信データの有効活用を図ることができる。
【０１０９】
次に、図８及び図９のフローチャートを参照して、第２実施例における未転送ＦＡＸデータの数の表示について説明する。上述した第１実施例では、ＭＦＤ１がＦＡＸモードの場合にのみ、待機表示の際にＬＣＤ３６に未転送ＦＡＸデータの数を表示を行うものであったが、この第２実施例では、ユーザによって、ＦＡＸモード以外のモードにおいて未転送ＦＡＸデータの数を表示するように設定された場合には、ＦＡＸモードだけでなくＦＡＸモード以外のモードにおいて未転送ＦＡＸデータの数の表示を行うものである。なお、図８及び図９のフローチャートで示すの処理を実行するプログラムは、制御プログラムの一部としてＲＯＭ１４に記憶されている。
【０１１０】
また、この第２実施例において、上記した第１実施例と同一の部分には同一の符号を付して、その説明を省略する。また、この第２実施例において、ＰＣ−ＦＡＸデータ受信処理及びＰＣ−ＦＡＸデータ転送処理については、第１実施例と同一の処理（図５及び図６参照）が行われるので、その説明は省略する。
【０１１１】
図８は、第２実施例のＭＦＤ１で実行されるメイン処理のフローチャートである。この図８に示す第２実施例のメイン処理もまた、第１実施例と同様に、操作入力キー３４ａの操作によって電源が投入されると起動する処理であり、電源が投入されている間、ＣＰＵ１０によって繰り返し実行される。
【０１１２】
第２実施例のメイン処理では、Ｓ４０１〜Ｓ４０８，Ｓ４１０〜Ｓ４１５について、上述した第１実施例のメイン処理（図４参照）と同様の処理を行い、Ｓ４０８の処理により確認した結果、バックアップ印刷設定がオフにされるか（Ｓ４１５）、又は、ユーザによってバックアップ印刷設定が解除されていない場合（Ｓ４０８：Ｎｏ）に、ユーザによって、ＦＡＸモード以外のモード時において受信ＦＡＸデータがＰＣ２へ転送される設定（以下、「他モードＰＣ−ＦＡＸ設定」と称する）がされたか否かを確認する（Ｓ８０１）。
【０１１３】
Ｓ８０１の処理により確認した結果、ユーザによって、ＦＡＸモード以外のモード時において受信ＦＡＸデータがＰＣ２へ転送される設定（他モードＰＣ−ＦＡＸ設定）に設定されていれば（Ｓ８０１：Ｙｅｓ）、ＭＦＤ１における受信設定を他モードＰＣ−ＦＡＸ設定とし（Ｓ８０２）、各処理（Ｓ４０９）の処理へ移行する。一方で、Ｓ８０１の処理により確認した結果、ユーザによって、ＦＡＸモード以外のモード時において受信ＦＡＸデータがＰＣ２へ転送される設定が設定されていなければ（Ｓ８０１：Ｎｏ）、Ｓ８０２の処理をスキップして、各処理（Ｓ４０９）へ移行する。なお、第１実施例の場合と同様に、各処理（Ｓ４０９）の実行後は、Ｓ４０１の処理へ移行し、Ｓ４０１〜Ｓ４１５，Ｓ８０１〜Ｓ８０２の処理を繰り返し実行する。
【０１１４】
次に、図９は、第２実施例のＭＦＤ１で実行される待機表示処理のフローチャートである。この図８に示す第２実施例のメイン処理もまた、第１実施例と同様に、ＭＦＤ１が各種動作を作動していない待機状態になると起動する処理であり、まず、ＭＦＤ１において他モードＰＣ−ＦＡＸ設定であるか否かを確認する（Ｓ９０１）。
【０１１５】
Ｓ９０１の処理により確認した結果、ＭＦＤ１において他モードＰＣ−ＦＡＸ設定でない場合には（Ｓ９０１：Ｎｏ）、ＭＦＤ１がＦＡＸモードであるか否かに応じて、Ｓ７０１〜Ｓ７０６の処理を行う。
【０１１６】
一方で、Ｓ９０１の処理により確認した結果、ＭＦＤ１において他モードＰＣ−ＦＡＸ設定である場合には（Ｓ９０１：Ｙｅｓ）、ＰＣ未転送カウンタ１６ｂの値ｎは、１以上であるか否かを確認する（Ｓ９０２）。Ｓ９０２の処理により確認した結果、ＰＣ未転送カウンタ１６ｂの値ｎが１以上であれば（Ｓ９０２：Ｙｅｓ）、ＰＣ未転送カウンタ１６ｂの値ｎを参照し、未転送ＦＡＸデータの数（即ち、ｎ）をＬＣＤ３６に表示し（Ｓ９０３）、Ｓ７０４の処理へ移行する。Ｓ９０１〜Ｓ９０３の処理の結果として、ＭＦＤ１のモードに依存することなく、未転送ＦＡＸデータが存在した場合には、未転送ＦＡＸデータの数がＬＣＤ３６に表示される。
【０１１７】
一方で、Ｓ９０２の処理により確認した結果、ＰＣ未転送カウンタ１６ｂの値ｎが０であれば（Ｓ９０２：Ｎｏ）、Ｓ７０５の処理へ移行し、各モード（ＦＡＸモード、ＣＯＰＹモード、ＳＣＡＮモード、ＰＣＣモード）に応じた待機表示をＬＣＤ３６に表示する。従って、他モード表示設定がオンである場合には、未転送ＦＡＸデータが存在しない場合には、ＭＦＤ１が設定されているモードに対応する待機表示が行われる。
【０１１８】
以上説明したように、第２実施例のＭＦＤ１では、非ファクシミリモードデータ転送設定手段による設定に応じて、非ファクシミリモードの場合であっても、未転送ＦＡＸデータの数を表示手段に表示することができるので、ユーザの必要に応じて、ファクシミリモード以外のモードにおいても未転送ＦＡＸデータの数を表示させることができる。
【０１１９】
なお、請求項１記載のモード設定手段としては、図４又は図８のメイン処理におけるＳ４０１〜Ｓ４０５，Ｓ４１０〜Ｓ４１２の処理が該当する。また、請求項１記載の受信データ記憶手段としては、図５のＰＣ−ＦＡＸデータ受信処理におけるＳ５０１が該当する。また、請求項１記載のデータ転送設定手段としては、図４又は図８のメイン処理におけるＳ４０６，Ｓ４１３の処理が該当する。また、請求項１記載のデータ転送手段としては、図６のＰＣ−ＦＡＸデータ転送処理におけるＳ６０８及びＳ６１７の処理が該当する。また、請求項１記載の未転送データ計数手段としては、図５のＰＣ−ＦＡＸデータ受信処理におけるＳ５０２の処理と図６のＰＣ−ＦＡＸデータ転送処理におけるＳ６１２及びＳ６２１の処理が該当する。また、請求項１記載の第１未転送データ数表示手段としては、図７又は図９の待機表示手段におけるＳ７０３の処理が該当する。
【０１２０】
また、請求項２記載の非ファクシミリモードデータ転送設定手段としては、図８のメイン処理におけるＳ８０１〜Ｓ８０２の処理が該当する。また、請求項２記載の第２未転送データ表示手段としては、Ｓ９０３の処理が該当する。
【０１２１】
また、請求項３及び請求項４記載の転送可能状態検出手段としては、図６のＰＣ−ＦＡＸデータ転送処理におけるＳ６０７及びＳ６１６の処理が該当する。また、請求項５及び請求項８記載の転送正常確認手段としては、図６のＰＣ−ＦＡＸデータ転送処理におけるＳ６０９及びＳ６１８の処理が該当する。また、請求項７記載のバックアップ記録手段としては、図６のＰＣ−ＦＡＸデータ転送処理におけるＳ６０１〜Ｓ６０５の処理が該当する。また、請求項７記載のバックアップ記録設定手段としては、図４又は図８のメイン処理におけるＳ４０７〜Ｓ４０８，Ｓ４１４〜Ｓ４１５の処理が該当する。また、請求項８記載の記憶保持手段としては、図６のＰＣ−ＦＡＸデータ転送処理におけるＳ６０１〜Ｓ６０６及びＳ６０７においてＳ６１４へ向かう分岐処理が該当する。
【０１２２】
以上、実施例に基づき本発明を説明したが、本発明は上述した実施例に何ら限定されるものではなく、本発明の趣旨を逸脱しない範囲内で種々の改良変更が可能であることは容易に推察できるものである。
【０１２３】
例えば、上記実施例では、ＰＣ−ＦＡＸ設定がされている場合に、ＰＣ２がデータ転送可能な状態にあるか否かに関係なく、ファクシミリデータを受信すると、Ｓ５０１の処理によりＰＣ−ＦＡＸメモリ１６ａ（における第（ｎ＋１）ＰＣ−ＦＡＸメモリ）に格納するように構成したが、ファクシミリデータを受信した際に、ＰＣ２がデータ転送可能な状態にあることが確認されれば、受信ＦＡＸデータをＰＣ−ＦＡＸメモリ１６ａに格納することなく転送するように構成してもよい。
【０１２４】
また、上記実施例では、ファクシミリデータの受信を契機として、ＰＣ−ＦＡＸ受信処理（図５参照）の一部としてＰＣ−ＦＡＸデータ転送処理（図６参照）を実行し、受信ＦＡＸデータ又は未転送ＦＡＸデータをＰＣ２へ転送するＰＣ−ＦＡＸデータ転送を行うように構成した。ＰＣ−ＦＡＸデータ転送処理（図６参照）を起動させる契機としては、ファクシミリデータの受信だけに限定されず、所定時間毎に起動させたり、ユーザの操作により未転送ＦＡＸデータの転送指示がなされた場合に起動させたりしてもよい。なお、所定時間毎に、又は、ユーザの操作によりなされた未転送ＦＡＸデータの転送指示を契機として、ＰＣ−ＦＡＸデータ転送処理が起動した場合には、まず、ＰＣ未転送カウンタ１６ｂの値を確認し、その値が０であれば、そのままＰＣ−ＦＡＸデータ転送処理を終了し、ＰＣ未転送カウンタ１６ｂの値が１以上であれば、Ｓ６０１からの処理を順次行うようにすればよい。
【０１２５】
また、上記実施例において、ＰＣ−ＦＡＸデータ転送処理（図６参照）においては、Ｓ６０９又はＳ６１９の処理により、所定時間内にＰＣからの転送完了信号が受信されないことが確認された場合には、ＬＣＤ３６又はスピーカ部３８からエラーメッセージを出力してから、処理を終了するように構成してもよい。これによって、受信ＦＡＸデータ又は未転送ＦＡＸデータがＰＣ２へ正常に転送できなかった場合に、エラーメッセージが出力されるので、ユーザは、受信ＦＡＸデータがＰＣ２に転送できなかったことを認識することができ、データの再転送などの必要な処理を実行させることができる。
【０１２６】
また、上記第２実施例において、ＦＡＸモード以外のモード時において受信ＦＡＸデータがＰＣ２へ転送される設定である場合に、全てのモードの待機表示において未転送ＦＡＸデータの数を表示するように構成したが、これに換えて、ＰＣ２に受信ＦＡＸデータが転送されるモードとは無関係に、ＦＡＸモード以外のモード時における待機表示において未転送ＦＡＸデータの数を表示させるか否かをユーザによって設定させ、その設定に応じて、未転送ＦＡＸデータがあれば、ＦＡＸモード以外のモード時における待機表示において未転送ＦＡＸデータの数を表示させるように構成してもよい。
【図面の簡単な説明】
【０１２７】
【図１】本発明の第１実施例における多機能周辺装置（ＭＦＤ）を含む通信システムの構成を示すブロック図である。
【図２】多機能周辺装置における操作パネル部分の平面図である
【図３】多機能周辺装置における各モード毎にＬＣＤで表示される待機表示を模式的に示す図であり、（ａ）〜（ｈ）は、ＬＣＤが１行表示モデルである場合の待機表示を示す図であり、（ｉ）〜（ｐ）は、ＬＣＤが２行表示モデルである場合の待機表示を示す図である。
【図４】メイン処理のフローチャートである。
【図５】ＰＣ−ＦＡＸデータ受信処理のフローチャートである。
【図６】ＰＣ−ＦＡＸデータ転送処理のフローチャートである。
【図７】待機表示処理のフローチャートである。
【図８】第２実施例のメイン処理のフローチャートである。
【図９】第２実施例の待機表示処理のフローチャートである。
【符号の説明】
【０１２８】
１                  ＭＦＤ（多機能周辺装置）
２                  ＰＣ（データ通信可能な端末装置）
１６ａ              ＰＣ−ＦＡＸメモリ（受信データ記憶手段）
１６ｂ              ＰＣ未転送カウンタ（未転送データ計数手段）
２８                回線制御部（受信手段）
３６                ＬＣＤ表示手段
４４                ＬＡＮＩ／Ｆ（受信手段）
【図１】
2006041910.tif 000003
【図２】
2006041910.tif 000004
【図３】
2006041910.tif 000005
【図４】
2006041910.tif 000006
【図５】
2006041910.tif 000007
【図６】
2006041910.tif 000008
【図７】
2006041910.tif 000009
【図８】
2006041910.tif 000010
【図９】
2006041910.tif 000011